(57)【要約】【課題】一方側からの開封方向の力に対する耐力がより大きく、密閉を高く維持することができるシート状物密閉結合用合成樹脂チャック構造の提供。【解決手段】互いに対向する一対のシート状物４０，４１の各対向面に固着されるテープ状をした合成樹脂性の一対の基台部２０，２１に、先端部内側面に断面が鈎状の鈎爪部２３を有する一対の雌鈎突条２４ａ，２４ｂからなる雌封止具２５と、先端部外側面に断面が鈎状の鈎爪部２６とを有し、雌鈎突条２４ａ，２４ｂ間に挿入される一対の雄鈎突条２７，２７からなる雄封止具２８とを備え、かつ両雌鈎突条２４ａ，２４ｂの中間位置に両雌鈎突条２７，２７間に圧入される密封用突条２９を備えた密封構造式のチャック部２２，２２を２列配置に設け、かつ一方の基台部２０とシート状物４０との固着をその基台部の一方縁部側に片寄せた位置のみにおいて固着した片側縁部固着構造とするとともに、他方の基台部２１とシート状物４１との固着は該基台部の両縁部を固着させた両縁部固着構造する。【選択図】    図１
2007116518.tif 000002
【特許請求の範囲】
【請求項１】
互いに対向する一対のシート状物の各対抗面に固着されるテープ状をした合成樹脂性の一対の基台部を備え、その一方の基台部の表面に一体に突設され、先端部内側面に断面が鈎状の鈎爪部を有する一対の雌鈎突条からなる雌封止具を備えるとともに他方の基台部の表面に一体に突設され、先端部外側面に断面が鈎状の鈎爪部を有し、前記雌鈎突条間に挿入される一対の雄鈎突条からなる雄封止具とを備え、かつ前記一方の基台部の前記両雌鈎突条の中間位置に一体に突設され、前記他方の基台部の両雄鈎突条間に圧入される密封用突条を備え、前記雄封止具を雌封止具内に挿入することによって両者間の前記両鈎爪部が互いに系合されるとともに前記密封用突条が前記雄鈎突条の背面間に圧入されるようになっている密封構造式チャックを備えてなるシート状物密封結合用合成樹脂チャック構造において、
前記密封構造式チャックを前記一対の基台部間において該基台部の幅方向側に間隔を隔てた状態で少なくとも２列配置に備え、かつ前記両基台部の内の一方側の基台部と該基台部とシート状物との固着をその基台部の一方縁部側に片寄せた位置のみにおいて固着した片側縁部固着構造とするとともに、他方側の基台部とシート状物との固着は該基台部の両縁部を固着させた両縁部固着構造としたことを特徴としてなるシート状物密封結合用合成樹脂チャック構造。
【請求項２】
前記密封構造式チャックは雌封止具の一方の雌鈎突条の根元部を該雌鈎突条が突設されている前記基台部の曲げ力が伝わり難い構造とするとともに、他方の雌鈎突条の根元部を該雌鈎突条が突設されている前記基台部にかかる曲げ力が伝わり易い構造とすることによって易開放側と難開放側とを構成している請求項１に記載のシート状物密封結合用合成樹脂チャック構造。
【請求項３】
前記片側縁部固着構造の基台部とシート状物との固着位置は前記易開放側に位置する縁部としてなる請求項２に記載のシート状物密封結合用合成樹脂チャック構造。
【請求項４】
前記易開放側の雌鈎突条の根元部分の基台部との結合部の厚さを大きくすることによって該基台部にかかる曲げ力が伝わり易い構造としている請求項２に記載のシート状物密封結合用合成樹脂チャック構造。
【請求項５】
前記難開放側の雌鈎突条の根元部の形状を、該雌鈎突条の先端部側より前記易開放側の雌鈎突条側に湾曲させた形状とすることによって前記基台部にかかる曲げ力が伝わり難い構造としている請求項２に記載のシート状物密封結合用合成樹脂チャック構造。
【請求項６】
前記密封用突条はその先端部分に両面側を膨出させた形状の頭部を備え、該頭部の両側面が前記両雄鈎突条の背面を押圧して接触されるようにしてなる請求項１に記載のシート状物密封結合用合成樹脂チャック構造。
【発明の詳細な説明】
【技術分野】
【０００１】
本発明は、合成樹脂製の袋体の開口部の開閉や、合成樹脂シート間の縁部の連結に使用するシート状物密封結合用合成樹脂チャック構造に関する。
【背景技術】
【０００２】
従来のこの種の合成樹脂チャックには図９、図１０に示す構造のもの（例えば特許文献１）がある。合成樹脂チャックは図９に示すように合成樹脂製で可撓性を有する袋体の開口部を構成する互いに対向したフィルムを基台部１，２とし、その一方の基台部１の表面
に、先端部内側面に断面が鈎状の鈎爪部３を有する一対の雌鈎突条４，４からなる雌封止具５が一体に突設され、他方の基台部２の表面に先端部外側面に断面が鈎状の鈎爪部６，６を有し、前記雌鈎突条４，４間に挿入される一対の雄鈎突条７，７からなる雄封止具８が一体に突設され、かつ一方の基台部１の両雌鈎突条４，４の中間位置に、他方の基台部２の両雄鈎突条７，７間に圧入される密封用突条９が一体に突設され、雄封止具８を雌封止具５内に挿入することによって両者間の両鈎爪部３，６が互いに系合されるとともに前記密封用突条９が前記雄鈎突条７，７の背面７ａ，７ａ間に圧入されるようになっている。【０００３】
この合成樹脂チャックは、雌雄の鈎突条４，７による係合と、密封用突条９による密封とがそれぞれ個別に行われるとともに、密封用突条９の雄鈎突条７，７間への圧入によって雄鈎突条７，７の外れ方向への変形を阻止するようになっているため、係合性及び密封性に優れたものとなっている。【０００４】
しかし、この種の合成樹脂チャックは、図１０に示すように、基台部１，２間に開き方向の変形が加わることにより、該変形側の雌鈎突条４が雄鈎突条７から離れる方向側に湾曲されて両封止具５，８間が外れるようになっている。【０００５】
このため、例えば密封袋の開口部に使用した場合には、袋内空気の膨張によって基台部１，２の袋内側間に開き方向の力が作用した際に、容易に開いてしまうという問題があった。【０００６】
このような問題を解決する合成樹脂製のチャックとしては、図１１に示すように、テープ状をした一対の基台部１０，１１の一方側、例えば基台部１０から雌型突条１２，１２を突設させるとともに他方側の基台部１１から前記雌型突条１２，１２間に圧入される雄型突条１３を突設させた構造の一対の合成樹脂チャック１４，１５を前記基台部１０，１１間に平行に配置した２連チャックを袋１６の開口部に固着し、その両基台部１０，１１の内の一方側例えば基台部１０の両側縁部１０ａ，１０ｂを袋１６に固着するとともに他方側の基台部１１は、袋１６の開口側の縁部１１ａのみを袋１６に対して固着し、袋内側の縁部１１ｂを袋１６に対して固着しないようにして袋１６の開口部に固着するようにしたもの（例えば特許文献２）が知られている。【０００７】
この２連の合成樹脂チャックは、袋１６内の空気が膨張したり、外力が加わったりすることによって発生する内容物の圧力によって、袋１６の開口部内側に開き方向の力が加わると、図１２に示すように基台部１１と固着されていない側の袋１６が折り返されることによって、チャック１４，１５には開き方向の力よりも、基台部１０，１１に平行な平面に沿った互いに逆向きの引っ張り力Ａ，Ｂが作用することとなり、両チャック１４，１５の突条１２，１３には、せん断方向の力が作用することとなる。このためチャックは袋開口部の開き方向の力に対して開放されにくいという効果がある。
【特許文献１】特許第２９３８７８４号公報
【特許文献２】特許第３２９４００４３号公報
【発明の開示】
【発明が解決しようとする課題】
【０００８】
上述した図１１、図１２に示した特許文献２に記載されている従来のチャックは、図９、図１０に示す特許文献１に記載のものに比べて袋内の開き方向の力を基台部１０，１１平面に対して平行な逆向き引っ張り力に変換させる点において、内容物による開き方向の力に対して強い構造となっているが、２つの雄型突条１３，１３のせん断応力によっての
み、袋内の開き方向の力に対抗させるものであるため、その強度に限界があった。【０００９】
また、図１１に示した従来のチャックは、袋開口側のチャック１４は主として密閉度を高める作用を受け持ち、袋内側のチャック１５は開封を阻止する作用を受け持つものであるため、図１２に示すように、袋内の力によって矢印Ａ，Ｂ方向に力が加わると、その直角方向のモーメントによって基台部１０（１１）が変形し、両チャック１４，１５に開き方向の力が作用し、開封され易い側のチャック１４が外れ易いものであり、一方のチャックが外れると２連型のチャックの機能が損なわれ、袋内圧によって容易に開いてしまうという問題があった。【００１０】
本発明は、このような従来の問題に鑑み、一方側からの開封方向の力に対する耐力がより大きく、密閉度を高く維持することができるシート状物密封結合用合成樹脂チャック構造の提供を目的としてなされたものである。
【課題を解決するための手段】
【００１１】
上記従来の問題を解決し、所期の目的を達成するための本発明の構成を説明すると、下記のとおりである。【００１２】
請求項１に記載の発明は、互いに対向する一対のシート状物の各対抗面に固着されるテープ状をした合成樹脂性の一対の基台部を備え、その一方の基台部の表面に一体に突設され、先端部内側面に断面が鈎状の鈎爪部を有する一対の雌鈎突条からなる雌封止具を備えるとともに他方の基台部の表面に一体に突設され、先端部外側面に断面が鈎状の鈎爪部を有し、前記雌鈎突条間に挿入される一対の雄鈎突条からなる雄封止具とを備え、かつ前記一方の基台部の前記両雌鈎突条の中間位置に一体に突設され、前記他方の基台部の両雄鈎突条間に圧入される密封用突条を備え、前記雄封止具を雌封止具内に挿入することによって両者間の前記両鈎爪部が互いに系合されるとともに前記密封用突条が前記雄鈎突条の背面間に圧入されるようになっている密封構造式チャックを備えてなるシート状物密封結合用合成樹脂チャック構造において、前記密封構造式チャックを前記一対の基台部間において該基台部の幅方向側に間隔を隔てた状態で少なくとも２列配置に備え、かつ前記両基台部の内の一方側の基台部と該基台部とシート状物との固着をその基台部の一方縁部側に片寄せた位置のみにおいて固着した片側縁部固着構造とするとともに、他方側の基台部とシート状物との固着は該基台部の両縁部を固着させた両縁部固着構造としたことを特徴とする。【００１３】
請求項２に記載の発明の特徴は、前記請求項１の構成に加え、前記密封構造式チャックは雌封止具の一方の雌鈎突条の根元部を該雌鈎突条が突設されている前記基台部の曲げ力が伝わり難い構造とするとともに、他方の雌鈎突条の根元部を該雌鈎突条が突設されている前記基台部にかかる曲げ力が伝わり易い構造とすることによって易開放側と難開放側とを構成していることにある。【００１４】
請求項３に記載の発明の特徴は、前記請求項２の構成に加え、前記片側縁部固着構造の基台部とシート状物との固着位置は前記易開放側に位置する縁部としたことにある。【００１５】
請求項４に記載の発明の特徴は、前記請求項２の構成に加え、前記易開放側の雌鈎突条の根元部分の基台部との結合部の厚さを大きくすることによって該基台部にかかる曲げ力が伝わり易い構造としていることにある。【００１６】
請求項５に記載の発明の特徴は、前記請求項２の構成に加え、前記難開放側の雌鈎突条の根元部の形状を、該雌鈎突条の先端部側より前記易開放側の雌鈎突条側に湾曲させた形状とすることによって前記基台部にかかる曲げ力が伝わり難い構造としていることにある
。【００１７】
請求項６に記載の発明の特徴は、前記請求項１の構成に加え、前記密封用突条はその先端部分に両面側を膨出させた形状の頭部を備え、該頭部の両側面が前記両雄鈎突条の背面を押圧して接触されるようにしていることにある。
【発明の効果】
【００１８】
本発明によれば、下記のような優れた効果を得ることができる。【００１９】
本発明に係るシート状物密封結合用合成樹脂チャック構造では、密封構造式チャックを一対の基台部間において該基台部の幅方向側に間隔を隔てた状態で少なくとも２列配置に備え、かつ前記両基台部の内の一方側の基台部と該基台部とシート状物との固着をその基台部の一方縁部側に片寄せた位置のみにおいて固着した片側縁部固着構造とするとともに、他方側の基台部とシート状物との固着は該基台部の両縁部を固着させた両縁部固着構造としたことにより、両シート状物に対し、前記基台部との非固着側を開く方向の外力が作用した場合、非固着側のシート状物が固着側縁部位置で折り返される形状となって引っ張られることとなり、このため両基台部間には互いに離反する方向の力ではなく、基台部の平面に沿って互いに平行な逆向きの力、即ちスライド方向の力が加わることとなり、密封構造式チャックに対するせん断応力がこれに対抗することとなるため、シート状物に対する大きな開き方向の力が作用してもチャックの開きを防止できる。【００２０】
また、前記密封構造式チャックは雌封止具の一方の雌鈎突条の根元部を該雌鈎突条が突設されている前記基台部の曲げ力が伝わり難い構造とするとともに、他方の雌鈎突条の根元部を該雌鈎突条が突設されている前記基台部にかかる曲げ力が伝わり易い構造とすることによって易開放側と難開放側とを構成させることによって、チャックを開放する作業は易開放側からは大きな力を要することなく容易に行うことができる。【００２１】
更に、前記片側縁部固着構造の基台部とシート状物との固着位置は前記易開放側に位置する縁部としたことにより、非固着側のシート状物間に開き方向の力が作用した際において、非固着側の基台部に開き方向の分力が作用しても容易にチャック咬合の外れを防止できる。【００２２】
更に、前記易開放側の雌鈎突条の根元部分の基台部との結合部の厚さを大きくすることによって基台部にかかる曲げ力が伝わり易い構造と、また前記難開放側の雌鈎突条の根元部の形状を、該雌鈎突条の先端部側より前記易開放側の雌鈎突条側に湾曲させた形状とすることによって基台部にかかる曲げ力が伝わり難い構造としていることにより、易開放側と難開放側とを区別したチャックの成型が容易にできる。【００２３】
更に、前記密封用突条はその先端部分に両面側を膨出させた形状の頭部を備え、該頭部の両側面が前記両雄鈎突条の背面を押圧して接触されるようにしていることにより、チャックの密封性能を向上させることができる。
【発明を実施するための最良の形態】
【００２４】
以下、本発明に係る開閉封止具付き袋体を実施するための最良の形態を、図面を参照して詳細に説明する。【００２５】
図１は本発明に係るシート状物密封結合用合成樹脂チャック構造を示しており、このチャック構造は、互いに縁部を対向させた一対のシート状物４０，４１間を気液密を維持させた状態に結合するものであり、一対のテープ状をした基台部２０，２１間に互いに平行配置に一対のチャック部２２，２２が備えられている。【００２６】
この両チャック部２２，２２は同一構造のものであり、図２に示すように一方の基台部２０の表面に一体に突設された雌封止具２５内に、他方の基台部２１に一体に突設された雄封止具２８が挿入されることによって封止されるようになっている。【００２７】
雌封止具２５は、基台部２０に突設され、先端部内側面に断面が鈎状の鈎爪部２３を有する一対の雌鈎突条２４ａ，２４ｂを備えている。雄封止具２８は、他方の基台部２１の表面に一体に突設され、先端部外側面に断面が鈎状の鈎爪部２６，２６を有し、前記雌鈎突条２４ａ，２４ｂ間に挿入される一対の雄鈎突条２７，２７を備えている。【００２８】
また、一方の基台部２０の両雌鈎突条２４ａ，２４ｂの中間位置に、他方の基台部２１の両雄鈎突条２７，２７間に圧入される密封用突条２９が一体に突設され、雄封止具２８を雌封止具２５内に挿入することによって両者間の両鈎爪部２３と２６とが互いに系合されるとともに前記密封用突条２９が前記雄鈎突条２７，２７の背面２７ａ，２７ａ間に圧入されるようになっている。【００２９】
密封用突条２９はその先端部分に両面側を膨出させた形状の頭部２９ａを備え、該頭部２９ａの両側面が両雄鈎突条２７，２７の背面２７ａ，２７ａを押圧することによって互いに線接触状態となり、気液密性が維持されるようになっている。【００３０】
また、雌封止具２５の一方の雌鈎突条２４ａの根元部の断面形状は、基台部２０側に至るに従って厚くしたテーパ状に成型されており、これによって該雌鈎突条２４ａが突設されている基台部２０に対する曲げ力がこの雌鈎突条に２４ａに伝わり易く、従って図３に示すように、基台部２０を外側に曲げることによって、雌鈎突条２４ａが容易に雄鈎突条２７から離れる方向に曲げられて、互いに係合状態にある鈎爪部２３と２６とが容易に外すことが可能な易開放側係合部を構成している。【００３１】
これに対し、他方の雌鈎突条２４ｂの根元部は、その外側面が基台部２０に至るに従って内側面と同様に一方の雌鈎突条２４ａ側に湾曲させた形状となっており、該根元部は、その厚さａ（図2
に示す）が基台部２０の厚さｂより厚く成型され、断面形状が円弧状に成型された円弧状部３０を有している。このため、基台部２０に開き方向の曲げ力が作用した場合、図６に示すように、基台部２０が雌鈎突条２４ｂの根元部外側位置で曲がり、前記曲げ力が雌鈎突条２４ｂに容易には伝わらず、互いに係合状態にある鈎爪部２３，２６の係合が容易には外れない難開放側係合部を構成している。【００３２】
上記構造の各チャック部２２，２２は、前記難開放側係合部を構成している雌鈎突条２４ｂを同じ側に向けた状態でそれぞれ基台部２０に対して一体に突設されている。【００３３】
また、両基台部２０，２１のシート状物４０，４１に対する固着は、図１及び図５に示すように、雄封止具２８が突設されている基台部２１は、その背面の全域又はテープ状の両側縁部背面２１ａ，２１ｂがシート状物４１に対して固着されている。他方の雌封止具２５が突設されている基台部２０は、前述したテープ状の易解放側係合部、即ち雌鈎突条２４ａが位置する側の側縁部背面２０ａのみがシート状物４０に対して固着されている。【００３４】
このように両基台部２０，２１とその背面側のシート状物４０，４１とを固着することにより、シート状物に対し、両基台部２０，２１の難開放側４０ａ，４１ａに開き方向の外力が作用すると、図５に示すように、シート状物４０が、基台部２０の易開放側縁部より折り返された状態となり、両基台部２０，２１間には、両者の平面を互いに逆向きにスライドさせる方向の力ＡＢが大きく作用することとなり、両者の対向面を離反させる方向
のモーメントは極めて小さいものとなり、両チャック部２２，２２に対するせん断応力によってシート状物４０，４１間の開き方向の力に対して対抗することとなる。【００３５】
このとき、雌封止具２５側においては、一対の雌封止具を構成している２対の雌鈎突条と２つの密封用突条２９を総合したせん断応力、雄封止具２８側においては一対の雄封止具２８を構成している２対の雄鈎突条を総合したせん断応力によって対抗することとなり、大きな封止力が得られるとともに、密閉性が維持される。【００３６】
尚、上記チャック部２２の開閉は、図には示してないが、断面略Ｕ字型をなしたスライダーを外側に嵌め付け、これをスライドさせることによってチャックを開閉動作させることが好ましい。このスライダーを使用することにより、チャックの開閉操作を無理なく容易に行うことができる。【００３７】
このように構成される合成樹脂チャック構造は、図６に示す如き合成樹脂シートによる袋の開口部の他、図７に示すように、建築資材や大型の搬送物の包装等に使用するための大面積シート４２を複数の小シート４３，４３……の隣り合うもの間の縁部を連結させて構成させる際にも使用することができる。
次に、本発明における強度試験について述べる。
ａ．試験方法
試験概要図：図１及び図５
図１示すように本発明に係るチャック構造を厚み１８０μのフィルム４０，４１に対し、両基台部２０，２１の側縁部背面２０ａ，２１ａ，２１ｂの３点で一体化し、この一体化部を５０ｍｍ幅に切り取り、試験片を作成する。【００３８】
図５の如くフィルム４０，４１を矢印ＡＢ方向に引張した時のチャック部の咬合が解除されたときの強度(チャック部の咬合が解除されないときは基体の破断強度)とチャックの状態を見る。
ｂ．試験結果
試験は６回行ったが、袋の開口部への使用を想定した場合における開口側、非開口側のチャック部の咬合が２個共に解除されることはなく、フィルムが先に破断してしまった。フィルムが破断したときの強度とフィルムが破断した後のチャックの状態を表１に示した。
表１
2007116518.tif 000003
【００３９】
比較例は、同様の材料を用いて図８に示すように、図１に示すチャック構造と同じものを４０，４１に対し、両基台部２０，２１の側縁部背面２０ａ，２０ｂ，２１ａ，２１ｂの４点で一体化させ、一体化部５０ｍｍ幅の試験片を形成し、図８に示すように、フィルム４０，４１を矢印ＣＤの開き方向に引張した際に、チャック部の咬合が解除された時の強度である。【００４０】
以上の結果から、本発明におけるチャックでは非開口側からの引張に対し１１．３０ｋｇ程度まで耐えうることが示された。また、比較例では４．５ｋｇでチャック部の咬合が開いてしまっている。【００４１】
尚、本発明による試験片の場合においては、チャック部の咬合が外れる前にフィルムが破断した時の強度と状態を示しており、フィルムが破断しなければ少なくとも１１．３０ｋｇ程度ではチャック部の咬合が外れないと言えることから、本発明の効果が確認できた。
【図面の簡単な説明】
【００４２】
【図１】本発明に係るチャック構造の一例を縦断して示す斜視図である。
【図２】同チャック部を示す部分拡大断面図である。
【図３】同チャック部の易開放側の開き状態を示す拡大断面図である。
【図４】同チャック部の難開放側の開き状態を示す拡大断面図である。
【図５】図１に示すチャック構造のシート状物に開き方向の荷重が作用した際の縦断面図である。
【図６】本発明に係るチャック構造を袋の開口部に使用した際の縦断面図である。
【図７】本発明に係るチャック構造をシート状フィルムの連結に使用した際の縦断面図である。
【図８】本発明品に対する強度試験の比較例を示す縦断面図である。
【図９】従来の合成樹脂チャックの一例を示す縦断面図である。
【図１０】同チャックの開き状態を示す縦断面図である。
【図１１】従来のチャックの他の例を示す縦断面図である。
【図１２】同チャックを袋の開口部に使用した場合における袋の内側から開き方向の外力が作用した際の縦断面図である。
【符号の説明】
【００４３】
２０，２１  基台部
２０ａ，２０ｂ  側縁部背面
２１ａ，２１ｂ  側縁部背面
２２  チャック部
２３  鈎爪部
２４ａ，２４ｂ  雌鈎突条
２５  雌封止具
２６  鈎爪部
２７  雄鈎突条
２７ａ  背面
２８  雄封止具
２９  密封用突条
２９ａ  頭部
３０  円弧状部
４０、４１  シート状物
４０ａ，４１ａ  難開放側
４２  大面積シート
４３  小シート
【図１】
2007116518.tif 000004
【図２】
2007116518.tif 000005
【図３】
2007116518.tif 000006
【図４】
2007116518.tif 000007
【図５】
2007116518.tif 000008
【図６】
2007116518.tif 000009
【図７】
2007116518.tif 000010
【図８】
2007116518.tif 000011
【図９】
2007116518.tif 000012
【図１０】
2007116518.tif 000013
【図１１】
2007116518.tif 000014
【図１２】
2007116518.tif 000015
【国際調査報告】
2007116518.tif 000016
2007116518.tif 000017